(57)【要約】【課題】ヒータの劣化を防止し、かつ保護部材を長期にわたり適正に動作させる。【解決手段】蒸発タンク４１の底板４４の外面に、サーモスタット１０５が直接接触して取り付けられる。冷蔵庫本体１０の装着凹部３０の奥壁３０Ａに、伝熱板１１１が断熱シート１１５を介して張設される。伝熱板１１１における受熱面１１２が、蒸発用ヒータ５０の水平部５１の裏側に臨むような高さ位置にあり、また蒸発タンク４１の底板４４から延出された接触板４５が受熱面１１２に線接触している。温度ヒューズ１１０は、ヒューズホルダ１１７により伝熱板１１１の下端部の装着面１１３に密着して保持される。伝熱板１１１の装着面１１３には、蒸発タンク４１の熱が減衰されて伝達され、蒸発タンク４１が温度ヒューズ１１０を切るべき温度に上昇した場合も、伝熱板１１１の装着面１１３は同温度よりも低い温度に上昇することに留まる。【選択図】図１０
2010019471.tif 000002
【特許請求の範囲】
【請求項１】
貯蔵庫本体の側面には除霜水等の排水を溜める蒸発タンクが設けられ、この蒸発タンク内の底部に装備されたヒータに通電することにより貯留された排水を加熱して蒸発させる冷却貯蔵庫の排水蒸発装置において、
前記蒸発タンクの外面には、感知温度により前記ヒータへの通電路の入り切りを制御する加熱制御部材が装着されるとともに、
前記蒸発タンクの近傍にはこの蒸発タンクからの熱移動が可能な伝熱板が配設され、この伝熱板に感知温度により前記通電路を切断する保護部材が装着されていることを特徴とする冷却貯蔵庫の排水蒸発装置。
【請求項２】
前記加熱制御部材が前記蒸発タンクの底部の外面に装着されているとともに、前記伝熱板が前記貯蔵庫本体の側面に装着されていることを特徴とする請求項１記載の冷却貯蔵庫の排水蒸発装置。
【請求項３】
前記蒸発タンクから前記伝熱板への熱移動手段が輻射熱であることを特徴とする請求項１または請求項２記載の冷却貯蔵庫の排水蒸発装置。
【請求項４】
前記蒸発タンクの底部の端縁と前記伝熱板とが線接触しており、前記蒸発タンクから前記伝熱板への熱移動手段として伝導熱が加えられていることを特徴とする請求項３記載の冷却貯蔵庫の排水蒸発装置。
【請求項５】
前記伝熱板の上端部が前記蒸発タンク内の前記ヒータの裏面に対応した位置に配され、この伝熱板の下端部に前記保護部材が装着されていることを特徴とする請求項２ないし請求項４のいずれか一項に記載の冷却貯蔵庫の排水蒸発装置。
【請求項６】
前記伝熱板における高さ方向の中央部には、複数の開口部が形成されていることを特徴とする請求項５記載の冷却貯蔵庫の排水蒸発装置。
【請求項７】
前記伝熱板の裏面に断熱材が介装されていることを特徴とする請求項２ないし請求項６のいずれか一項に記載の冷却貯蔵庫の排水蒸発装置。
【請求項８】
前記貯蔵庫本体の側面には前記蒸発タンクの表面側を覆うカバーが装着され、このカバーの裏面における前記加熱制御部材の装着位置の表面側に対応する位置に、断熱材が装着されていることを特徴とする請求項１ないし請求項７のいずれか一項に記載の冷却貯蔵庫の排水蒸発装置。
【発明の詳細な説明】
【技術分野】
【０００１】
本発明は、除霜水等の排水を溜めて蒸発させる冷却貯蔵庫の排水蒸発装置に関する。
【背景技術】
【０００２】
従来、この種の冷却貯蔵庫の一例として、特許文献１に記載されたものが知られている。このものは、貯蔵庫本体内の天井部に冷却器が配されてその下面に除霜水を受けるドレンパンが設けられ、同ドレンパンに接続された排水管が、貯蔵庫本体の壁面を貫通して背面に突出するとともに、その下方に、投げ込み式のヒータ（シーズヒータ）が装備された蒸発タンクが取り付けられており、除霜運転が行われると、除霜水がドレンパンで受けられたのち排水管から蒸発タンクに滴下して溜められ、ヒータで加熱されることにより蒸発して排出されるようになっている。
【０００３】
ここでこのような排水蒸発装置では、いわゆる空焚き防止の対策が講じられており、上記従来例では、シーズヒータの上面に対して液体膨張式サーモスタットが直接に装着されており、排水の蒸発が進んでヒータにおけるサーモスタットの装着面が浸漬状態から解除されると、同装着面が急速に温度上昇して所定温度に達した場合にこれを感知することによりサーモスタットが切れ、すなわちヒータへの通電が遮断されるようになっている。そののち装着面が所定温度以下に下がると、サーモスタットが入ってヒータへの通電が可能な状態となる。
【特許文献１】特開２００８−８５３３公報
【発明の開示】
【発明が解決しようとする課題】
【０００４】
しかしながら、上記のような空焚き防止手段では、蒸発タンク内において排水の貯留と蒸発とが繰り返されることに伴い、排水の水面が、サーモスタットの感温筒と、ヒータとの接触面を上下することになるため、異種金属接触腐食を起こすおそれがあった。  
また、サーモスタットが故障したときの補償として温度ヒューズを備える場合もあり、上記従来例では、蒸発タンクの上面開口に被せられた蓋板に温度ヒューズが装着され、その感知温度が所定値に達したら溶断により温度ヒューズが切れ、ヒータへの通電が遮断されるようになっている。
【０００５】
ここで温度ヒューズは、サーモスタットが切れる以前に動作（切れる）してはならず、すなわち温度ヒューズが切れる温度は、サーモスタットの適正な動作温度を所定以上上回っている必要があり、上記のように温度ヒューズが蒸発タンクの蓋板に装着されている場合、同装着部分は、サーモスタットが切れる際には１１０℃程度に温度上昇していると予想されるから、温度ヒューズの切れる温度は、それよりも所定値以上高い温度に設定する必要がある。  
このことはサーモスタットが正常に動作している間、温度ヒューズは１１０℃程度の高温に繰り返し晒されることになり、これが何回も続くと温度ヒューズ自体が劣化し、適正温度よりも低い温度で溶断するといった誤動作を招くおそれがあった。  
本発明は上記のような事情に基づいて完成されたものであって、その目的は、ヒータの劣化を防止し、また保護部材を長期にわたって適正に動作させるところにある。
【課題を解決するための手段】
【０００６】
本発明は、貯蔵庫本体の側面には除霜水等の排水を溜める蒸発タンクが設けられ、この蒸発タンク内の底部に装備されたヒータに通電することにより貯留された排水を加熱して蒸発させる冷却貯蔵庫の排水蒸発装置において、前記蒸発タンクの外面には、感知温度により前記ヒータへの通電路の入り切りを制御する加熱制御部材が装着されるとともに、前記蒸発タンクの近傍にはこの蒸発タンクからの熱移動が可能な伝熱板が配設され、この伝熱板に感知温度により前記通電路を切断する保護部材が装着されているところに特徴を有する。
【０００７】
排水の蒸発が進んで貯留量が減少することに伴い、蒸発タンクにおける加熱制御部材の装着部の温度が所定値を超えると、加熱制御部材の機能によりヒータへの通電が切られ、経時後に同装着部の温度が所定値を下回った状態となると、ヒータへの通電が可能となる。加熱制御部材を蒸発タンクの外面に装着したから、従来の排水中に浸漬されるヒータに対して直接加熱制御部材を装着した場合のように、ヒータが腐食等で劣化することを防止できる。
【０００８】
また、加熱制御部材が故障した場合等の補償として保護部材が備えられ、特にこの保護部材が、蒸発タンクの近傍において同蒸発タンクからの熱移動が可能に設けられた伝熱板に装着された構造となっている。その意図するところは、以下のようである。  
このような保護部材を備えた場合に通常考えられる配設構造は、蒸発タンクの外面において加熱制御部材と並べて装着することが挙げられる。保護部材の機能から、その動作温度（切れる温度）は、加熱制御部材の動作温度（切れる温度）よりも所定値高く設定する必要があるが、いわゆる投げ込み式のヒータが装備された蒸発タンクにおいて、同蒸発タンクの外面に加熱制御部材を装着した場合の動作温度（切れる温度）は、１００℃を超えた例えば１１０℃程度とすることが妥当であり、したがって保護部材の動作温度（切れる温度）は、それよりもさらに高い温度となる。このことは逆に、加熱制御部材が正常に動作している間、保護部材は１１０℃程度の高温に繰り返し晒されることになり、そのため保護部材の早期の劣化を招くおそれがある。
【０００９】
それに対して本発明では、保護部材の装着用部材として、蒸発タンクの熱が直接的に伝導されるのではなく、輻射熱を中心としてほぼ間接的に熱移動される伝熱板を蒸発タンクの近傍に別途に設け、その伝熱板に保護部材を取り付けるようにしている。この構造であると、実質的に蒸発タンクの熱が減衰されて伝熱板に伝達されることになるため、例えば加熱制御部材が故障した等でヒータへの通電が継続されて、蒸発タンクが保護部材を切るべき温度に上昇した場合も、伝熱板は同温度よりも低い温度に上昇することに留まる。したがって、同温度を動作温度（切れる温度）とする保護部材を設けることで、適正なときに保護部材を機能させることができる。またこのように、伝熱板の温度は蒸発タンクの温度よりも低く留められるのであるから、保護部材が高熱に晒されることが回避され、もって保護部材が劣化することが防止される。
【００１０】
ここで、保護部材の劣化防止を図るだけであれば、蒸発タンクからの熱をさらに減衰させて伝熱板をより低温に維持するようにすればよいのであるが、低くし過ぎて、それに対応するように保護部材の動作温度（切れる温度）も低くなり過ぎると、例えば冷却貯蔵庫の機能やその設置環境の関係から、保護部材の装着箇所付近に瞬間的に温風が当たった場合等に、保護部材が誤って切れるおそれもあるため、伝熱板の温度降下を図ることにも限界ある。
【００１１】
以上のような考察のもと、保護部材については、蒸発タンクよりも低温となる箇所で温度感知することが良い一方で、誤動作防止用に動作温度（切れる温度）もある程度の高温とすることが好ましい。そこで本発明は、保護部材が、蒸発タンクの近傍において同蒸発タンクからの熱移動が可能に設けられた伝熱板に装着されている。この構造によれば、伝熱板には蒸発タンクからほぼ間接的に熱移動され、すなわち蒸発タンクの熱が減衰されて伝達されることで、蒸発タンクよりも低温に維持される。一方、伝熱板の配設位置、例えば蒸発タンクとの間の距離や、蒸発タンクと部分的に接触させる等を調整したり、伝熱板自体の伝熱性を変更することで、蒸発タンクから移動する熱の減衰具合が調整でき、ひいては保護部材の動作温度をある程度高温に設定できる。結果、保護部材の劣化が防止できるとともに、周囲温度に起因した誤動作も防止でき、保護部材を長期にわたって適正に動作させることが可能となる。
【００１２】
また、以下のような構成としてもよい。  
（１）前記加熱制御部材が前記蒸発タンクの底部の外面に装着されているとともに、前記伝熱板が前記貯蔵庫本体の側面に装着されている。  
（２）前記蒸発タンクから前記伝熱板への熱移動手段が輻射熱である。  
（３）前記蒸発タンクの底部の端縁と前記伝熱板とが線接触しており、前記蒸発タンクから前記伝熱板への熱移動手段として伝導熱が加えられている。
【００１３】
（４）前記伝熱板の上端部が前記蒸発タンク内の前記ヒータの裏面に対応した位置に配され、この伝熱板の下端部に前記保護部材が装着されている。伝熱板の上端部が加熱されてその熱が下端部に伝導され、保護部材は下端部の温度を感知する。伝熱板を効率良く昇温できる。
【００１４】
（５）前記伝熱板における高さ方向の中央部には、複数の開口部が形成されている。伝熱板の下端部が蒸発タンクの底面よりも下方に突出していると、同下端部は周囲温度の影響を受けやすく、例えば周囲温度が高いと、下端部が早期に昇温して保護部材が誤って動作するおそれがある。本構成では、伝熱板の途中に開口部が形成されていることで、上端部から下端部への熱伝達効率が抑えられ、もって伝熱板の下端部が必要以上に早期に昇温されることが防止される。その結果、保護部材が不適正なタイミングで動作することが防がれる。
【００１５】
（６）前記伝熱板の裏面に断熱材が介装されている。周囲温度が低い場合、貯蔵庫本体が低温となってその影響で伝熱板の昇温が遅れ、結果保護部材の動作が遅れることが懸念される。本構成では、断熱材を介装したことで貯蔵庫本体の低温の影響が伝熱板に及ぶことが抑えられ、伝熱板が適正に昇温することによって、保護部材を適正なタイミングで動作させることができる。
【００１６】
（７）前記貯蔵庫本体の側面には前記蒸発タンクの表面側を覆うカバーが装着され、このカバーの裏面における前記加熱制御部材の装着位置の表面側に対応する位置に、断熱材が装着されている。断熱材が配されていることで、周囲温度の変動に拘わらず加熱制御部材の装着位置の温度が安定化され、加熱制御部材を適正なタイミングで動作させることができる。
【発明の効果】
【００１７】
本発明によれば、ヒータの劣化を防止できることに加え、保護部材を長期にわたって適正に動作させることが可能となる。
【発明を実施するための最良の形態】
【００１８】
＜実施形態＞
以下、本発明の一実施形態を図１ないし図１０に基づいて説明する。この実施形態では業務用の縦型冷蔵庫に適用した場合を例示している。  
図１及び図２において、冷蔵庫本体１０は前面開口の縦長の断熱箱体から構成され、内部が貯蔵室１１とされており、貯蔵室１１の前面開口部には断熱扉１２が開閉可能に装着されている。冷蔵庫本体１０の上面には、回りがパネルで囲まれた機械室１４が形成され、その中に冷凍装置１５が設置されている。冷凍装置１５は、圧縮機１６、凝縮器ファン１７Ａを付設した空冷式の凝縮器１７等を備え、断熱性の基台１８上に取り付けられてユニット化されており、基台１８が貯蔵室１１の天井壁の窓孔１９を塞ぐようにして取り付けられている。
【００１９】
貯蔵室１１の天井部分における窓孔１９の下面側には、エアダクトを兼ねたドレンパン２０が張設され、その上方に冷却器室２１が形成されている。ドレンパン２０の底面は、奥縁（図１の右側）に向けて下り勾配となるように形成され、手前側の領域に吸込口２２が開口されているとともに、奥縁側には吹出口２３が切り欠き形成されている。  
冷却器室２１内には、冷却器２５と、吸込口２２に臨んで庫内ファン２６が装備されている。冷却器２５は上記した冷凍装置１５と冷媒配管で循環接続され、周知の冷凍サイクルを構成している。
【００２０】
そして、冷凍装置１５（圧縮機１６）を運転しつつ庫内ファン２６を駆動すると、貯蔵室１１の室内空気が吸込口２２から冷却器室２１内に吸引され、その空気が冷却器２５を流通する間に熱交換により冷気が生成され、その冷気が吹出口２３から貯蔵室１１の奥面に沿うようにして吹き出され、貯蔵室１１内に冷気が循環供給されて冷却されるようになっている。  
なお、圧縮機１６の運転に伴って凝縮器ファン１７Ａも運転され、機械室１４の前面パネル１４Ａに設けられた吸気口（図示せず）から外気が吸い込まれて、凝縮器１７さらには圧縮機１６を通過することでこれらを冷却し、冷却に供した後の排熱は、機械室１４の後面パネル１４Ｂ（図３）や天面パネル１４Ｃに設けられた排気口２８から主に背面側に向けて排出されるようになっている。
【００２１】
一方、冷却器２５等に付着した霜を除去するために、適宜に除霜運転が行われる。除霜運転は、冷却器２５に装備された除霜ヒータ（図示せず）に通電して冷却器２５を加熱することで行われ、溶融された除霜水はドレンパン２０で受けられたのち、詳しくは後記するように、冷蔵庫本体１０の背面１０Ａ側に設けられた蒸発装置４０に導かれて溜められ、引き続き加熱されることで強制的に蒸発させられて排出されるようになっている。
【００２２】
次に、蒸発装置４０の配設部分の構造について説明する。  
冷蔵庫本体１０の背面１０Ａには、その上端部に一段奥に引っ込んだ装着凹部３０が形成され、この装着凹部３０から機械室１４の背面側の下部位置にわたって蒸発装置４０が配設されている。  
先に、ドレンパン２０で受けられた除霜水の排水部分の構造を説明する。ドレンパン２０の後縁からは、ドレンパイプ３２が先端をやや下に向けた斜め姿勢で突設されている。一方、上記した装着凹部３０の奥壁３０Ａにおけるドレンパイプ３２の後方に対応する位置には、合成樹脂製の排水筒体３３が奥壁３０Ａを貫通して埋設され、この排水筒体３３の庫外側の端面における下部位置から、排水管３４が突設されている。排水管３４は、短寸で上面開口の半筒形をなし、ドレンパイプ３２よりも少し急な先下がりの斜め姿勢を取っており、また先端面は、上端側が少し引っ込んだ急斜面形状とされている。
【００２３】
この排水筒体３３の排水管３４が、図４に示すように、装着凹部３０の奥壁３０Ａにおける中央高さよりも少し上方位置で、かつ幅方向の中央部から背面視で少し右側に寄った位置において、装着凹部３０内（庫外側）に向けて突出している。排水管３４は、図１に示すように、装着凹部３０の奥行の１／３強の寸法突出しており、ドレンパイプ３２の先端部が排水筒体３３内に挿入されて、排水管３４の付け根部分に臨んでいる。
【００２４】
蒸発装置４０は大まかには、図１及び図３に示すように、装着凹部３０内における排水管３４の突設部分の下方位置に、除霜水を溜めて蒸発用ヒータ５０により強制的に蒸発させる蒸発タンク４１が設けられるとともに、その上方に、蒸気を上方に向けて案内するダクト７０が取り付けられた構造である。装着凹部３０の背面開口には、カバー１３７が、機械室１４の後面パネル１４Ｂとほぼ面一の状態で張られている。
【００２５】
蒸発タンク４１は、図１０にも示すように、ステンレス鋼板等の金属板製の表裏２枚のパネル４２，４３を組み付けることにより、奥行方向に扁平で横長形状をなす上面開口の箱形に形成されており、より詳細には、装着凹部３０の横幅よりも少し小さい横幅と、同装着凹部３０の奥行の半分強の奥行と、同装着凹部３０の全高の半分弱の高さ（深さ）とを有している。  
蒸発タンク４１の底板４４の奥縁からは、図１０に示すように、接触板４５が、この蒸発タンク４１の奥行の１／３程度の突出長を持って一体的に突出形成されている。接触板４５は詳細には、底板４４から水平に延出された延出部４４Ａの上面に、裏面パネル４３の下縁に直角曲げされたフランジ４３Ａが重ねられた二枚重ねの構造となっている。
【００２６】
蒸発タンク４１の裏面パネル４３の上縁には取付板４７が形成されており、この取付板４７は、上記の接触板４５の突出長さにほぼ匹敵する寸法だけ奥に引っ込んだのち所定寸法立ち上がって形成されている。この取付板４７における幅方向の中央部よりも背面視で少し右側に寄った位置には、上記した排水管３４を嵌めて逃がす逃がし溝４８が上縁に開口するように切り欠き形成されている。  
この蒸発タンク４１が、装着凹部３０の奥壁３０Ａにおける中央部から少し下方位置に配されて、排水管３４を逃がし溝４８に嵌めて逃がしつつ取付板４７が奥壁３０Ａに当てられ、取付板４７の左右両端部をねじ４９で止めて取り付けられている。なお蒸発タンク４１の底部側は、受け金具１２０で支持されているが、その部分の構造については後述する。
【００２７】
蒸発タンク４１内には、シーズヒータからなる投げ込み式の蒸発用ヒータ５０が配設されている。シーズヒータは基本的には、コイル状に巻いた発熱線を金属パイプ内に挿通し、絶縁粉末を充填した構造となっており、この実施形態の蒸発用ヒータ５０は、図３に示すように、細長い１本の棒が逆門形に曲げ形成され、蒸発タンク４１の横幅よりも少し短い長さの水平部５１の両端から、蒸発タンク４１の深さに匹敵する長さの垂直部５２が直角に立ち上げられた形状となっている。  
ただしこの実施形態では、蒸発用ヒータ５０のうち水平部５１のみが発熱可能部となっており、両垂直部５２については非発熱部とされている。そのために垂直部５２では、発熱線が除去されるか、あるいは金属パイプが非熱伝導性のパイプと置換された構造とされている。  
また、各垂直部５２の上端には、それぞれリード線５３が接続されて引き出されており、その接続部分が樹脂モールドされて取付部５４が形成されている。
【００２８】
一方、蒸発タンク４１の上面開口部４１Ａには、幅方向の中央部から背面視で少し左側に寄った位置において、詳しくは後記するようにダクト７０が連通して装着されるとともに、ダクト７０の装着位置の左右両側の領域は、それぞれ蓋体５６Ａ，５６Ｂで閉鎖されるようになっている。そして上記した蒸発用ヒータ５０は、各取付部５４がそれぞれ左右の蓋体５６Ａ，５６Ｂに取り付けられた状態で、蒸発タンク４１内に挿入されるようになっている。  
蓋体５６Ａ，５６Ｂは、図６に示すように、金属板をアングル状に曲げて形成されており、左右の装着領域の大きさに対応して、右側の蓋体５６Ｂの方が左側の蓋体５６Ａよりも長く（２倍程度）形成されている。
【００２９】
各蓋体５６Ａ，５６Ｂは、手前の側面板５７が蒸発タンク４１の表面パネル４２の上縁部に重なりつつ、上面板５８が上面開口部４１Ａを塞ぐようになっている。右側の蓋体５６Ｂは、上面板５８の外側への張出部５９が、蒸発タンク４１の上面開口部４１Ａにおける右側縁から右側に突出形成された支え板６０にねじ止めされるとともに、上面板５８の奥縁における内側の端部から立ち上がり形成された取付板６１が、蒸発タンク４１の取付板４７に重ねられ、ねじ４９で共締めされて固定される。左側の蓋体５６Ａは、上面板５８の外側の張出部５９が、蒸発タンク４１の上面開口部４１Ａの左側縁から左側に突出形成された支え板６０にねじ止めされて固定されている。
【００３０】
そして、蒸発用ヒータ５０の右側の取付部５４が、右側の蓋体５６Ｂの上面板５８における蒸発タンク４１の右側面板６３Ｂの少し内側に対応する位置に、また、左側の取付部５４が、左側の蓋体５６Ａの上面板５８における左側面板６３Ａの少し内側に対応する位置にそれぞれ取り付けられた状態で、蒸発用ヒータ５０が蒸発タンク４１内に挿入される。このとき、図１０に示すように、蒸発用ヒータ５０は、蒸発タンク４１内の奥行の中央部に位置するとともに、左右の垂直部５２は、蒸発タンク４１の左右の側面板６３Ａ，６３Ｂから内側に所定寸法離間し、また水平部５１は、蒸発タンク４１の底板４４から少し浮いた状態に配される。  
また、蒸発タンク４１における左右の側面板６３Ａ，６３Ｂの上部位置には、それぞれ支持ブラケット６５が設けられ、蒸発用ヒータ５０の両垂直部５２の上端側が対応する支持ブラケット６５に嵌められることで、蒸発用ヒータ５０の位置ずれ防止が図られている。
【００３１】
次に、ダクト７０について説明する。ダクト７０は、図５に示すように、ともに金属板製の表面板７１と裏面板７２とを組み付けることにより、上下両面が開口されかつ奥行が扁平でやや横長の角筒状に形成されている。より詳細には、裏面板７２の上縁には奥側に直角曲げされた装着板７３が形成されているとともに、左右両側縁のほぼ中央高さ位置には、それぞれ取付板７４Ａ，７４Ｂが張り出し形成されている。また、同裏面板７２における背面視で右下隅部には、上記した排水管３４を逃がす逃がし凹部７５が形成されている。
【００３２】
表面板７１には、奥側に直角曲げされた左右の側面板７７Ａ，７７Ｂが一体形成されており、全体としては、裏面板７２よりも所定寸法背が高く形成されている。表面板７１は、その上縁を裏面板７２の上縁から僅かに突出させ、また下縁については、裏面板７２の下縁から上側よりも大きく突出させた形態で、裏面板７２の表面側に対向して組み付けられる。なお、左右の側面板７７Ａ，７７Ｂにおける奥側の下部位置には、裏面板７２の下縁位置まで達する切欠部７８が形成されている。また、右側面板７７Ｂの奥縁における中央から下端にわたる高さ領域には、取付板７９が右側に直角曲げされて形成されている。  
表面板７１は裏面板７２に対し、右側の取付板７９を裏面板７２の右側の取付板７４Ｂに重ね、また左側面板７７Ａの奥縁を裏面板７２の左側の取付板７４Ａの付け根部分に当てつつ、上記した上下方向の位置関係を保持して対向して組み付けられる。このように組み付けられたダクト７０は全体として、奥行と高さは蒸発タンク４１とほぼ同じで、横幅のみが蒸発タンク４１よりも狭くされた形状となる。
【００３３】
ダクト７０を取り付けるに当たっては、図６に示すように、表面板７１の下縁部のほぼ全幅にわたり、下部側が手前に突出した段差状の取付板８１の上部側がねじ止めされて固定される。そして、上記のように組み付けられたダクト７０が、裏面板７２の逃がし凹部７５に排水管３４を嵌めて逃がすとともに、取付板８１の下部と表面板７１の下部との間に、蒸発ダクト７０の表面パネル４２の上縁を挟みつつ、その下端部が、蒸発タンク４１の上面開口部４１Ａの所定領域に挿入される。取付板８１の段差部８２が表面パネル４２の上縁に当たり、また左右の側面板７７Ａ，７７Ｂの切欠部７８の上縁が、奥側の取付板４７の下端における奥側への引っ込み面４７Ａ（図３）に当たることで挿入が停止され、このとき、図４に示すように、背面視左側の取付板７４Ａが装着凹部３０の奥壁３０Ａに当てられてねじ８３で止められ、また、右側で重なった取付板７４Ｂ，７９は、手前の取付板７９の下端部が蒸発タンク４１の取付板４７に当てられ、重なった部分が装着凹部３０の奥壁３０Ａに当てられて同じくねじ８３で止められることにより固定される。また、ダクト７０の上面は、機械室１４内の背面側の下部スペースまで突出し、冷凍装置１５を載置した基台１８の上面位置まで達するようになっている。
【００３４】
このように、蒸発タンク４１の上面開口部４１Ａの所定位置にダクト７０が連設された場合、排水管３４は、図４に示すように、ダクト７０内における背面視で右下隅部の位置に突出した状態となる。そこで、蒸発タンク４１から立ち上った蒸気が排水管３４側に流入するのを規制するべく対策が講じられている。  
まず、蒸発タンク４１の上面開口部４１Ａの右側領域に被着される右側の蓋体５６Ｂには、受け板８５が一体形成されている。詳細には、図７に示すように、上面板５８の内側の端縁の全幅から下向きに短寸の垂下板８６が形成され、この垂下板８６の下縁の全幅から、上記した受け板８５が左方に延出するように曲げ形成されている。この受け板８５は、若干先下がり（傾斜角が約１０度）となった姿勢で形成されている。  
右側の蓋体５６Ｂが所定位置に装着されると、垂下板８６が、ダクト７０の右側面板７７Ｂにおける蒸発タンク４１内に挿入された下端部の外側に重なるように配されたのち、受け板８５が、同右側面板７７Ｂの下縁位置から、先下がりの姿勢を取って、排水管３４の下方を遮りつつ左側に延出して配されるようになっている。
【００３５】
また、ダクト７０内における排水管３４の突出位置の背面視左側には、仕切板９０が装着されている。この仕切板９０は、図４及び図５に示すように、ダクト７０における表面板７１と裏面板７２との間隔に匹敵する幅と、ダクト７０の裏面板７２の高さ寸法と表面板７１の高さ寸法との間の長さを有している。この仕切板９０の奥縁には、その上部側における裏面板７２の高さに等しい領域において、背面視左側に直角曲げされた取付板９１Ａが形成されている。一方、仕切板９０の手前側の端縁には、その全高にわたり、右側に直角曲げされた取付板９１Ｂが形成されている。この右側の取付板９１Ｂの上下両端部には、ねじ孔９２が切られている。また、仕切板９０の奥側の下部位置には、左右の側面板７７Ａ，７７Ｂと同様の切欠部９３が形成されている。
【００３６】
仕切板９０をダクト７０内に組み付けるに際しては、まず仕切板９０がダクト７０の裏面板７２における排水管３４の逃がし凹部７５の左側の位置で縦向きに配され、奥側の取付板９１Ａが裏面板７２の全高にわたって当てられて溶接等で固定される。続いて、裏面板７２に対向して表面板７１を組み付けると、手前側の取付板９１Ｂが、表面板７１の裏面における下縁から上縁の少し下部位置にわたって当てられるから、表面板７１に形成された上下の挿通孔９４にねじ９５を通して、手前側の取付板９１Ｂのねじ孔９２にねじ込むことによって、仕切板９０を含めてダクト７０が組み付けられる。なお、ダクト７０が蒸発タンク４１の上面開口部４１Ａに装着される際、仕切板９０の切欠部９３が、蒸発タンク４１の奥側の取付板４７の下端における奥側への引っ込み面４７Ａに当たることになる。  
また、上記した蓋体５６Ｂに延出形成された受け板８５の長さは、ダクト７０内に組み付けられた仕切板９０と、同ダクト７０の右側面板７７Ｂとの間隔よりも所定寸法大きく設定されている。
【００３７】
改めると、ダクト７０が蒸発タンク４１の上面開口部４１Ａの所定位置に装着されると、図４に示すように、仕切板９０が、排水管３４の突出位置の背面視左側の位置において、ダクト７０の裏面板７２の全高、言い換えると裏面板７２と表面板７１とが対向した部分の全高にわたって配されて、ダクト７０内が左右に仕切られるようになっている。  
併せて、同仕切板９０の下端の所定部分が蒸発タンク４１の上面開口部４１Ａ内に進入し、ここで、図７に示すように、右側の蓋体５６Ｂに形成された受け板８５は、先下がりの姿勢を取って、仕切板９０の位置を超えてさらに所定寸法ａだけ左側に延出した状態となり、上記した仕切板９０の下端が、受け板８５の延出端側の上面との間に、所定のクリアランスｂを開けて接近するようになっている。  
上記したダクト７０の表面板７１、右側面板７７Ｂ、仕切板９０及び受け板８５により、囲繞部９６が構成されており、また、仕切板９０の下端と、受け板８５の延出端側の上面との間のクリアランスにより、流出口９７が形成されている。
【００３８】
ダクト７０の上面開口には、排気箱１００が装着されている。排気箱１００は、ダクト７０の上面開口内に緊密に嵌る大きさの下面開口の箱形に形成されており、その上面と表裏両面とには、それぞれ多数本のスリット１０１が長さ方向に間隔を開けて形成されている。また、排気箱１００の裏面板７２の下縁には、奥側に直角曲げされた取付板１０２が形成されている。  
排気箱１００は、その下端部がダクト７０の上面開口に嵌合されて、取付板１０２がダクト７０の装着板７３に当たったところで押し込みが停止され、取付板１０２と装着板７３とをねじ（図示せず）で固定することにより、また前面の下部をねじ１０３で止めることによって、排気箱１００がダクト７０の上面開口を覆った状態で装着されている。
【００３９】
上記の蒸発タンク４１内に装着された蒸発用ヒータ５０は、例えば商用電源から通電されて発熱されるようになっており、その蒸発用ヒータ５０の通電路には、加熱制御部材であるサーモスタット１０５と、保護部材である温度ヒューズ１１０とが設けられている。サーモスタット１０５は空焚き防止用であり、装着位置の感知温度により開閉して同通電路の入り切りを制御するように機能する。温度ヒューズ１１０は、サーモスタット１０５が故障したときの補償として、感知温度が所定温度に達したら溶断して同通電路を切断するように機能する。ただし温度ヒューズ１１０は、サーモスタット１０５が正常に作動している限りは、切断することがないように設定されている。
【００４０】
続いて、サーモスタット１０５と温度ヒューズ１１０との配設構造を、図８ないし図１０によって説明する。  
サーモスタット１０５は、蒸発タンク４１の温度を直接的に感知し得る位置に装着されており、具体的には、蒸発タンク４１の底板４４の外面における横幅方向の中央位置に、ブラケット１０６により直接接触させて取り付けられている。  
この種の投げ込み式の蒸発用ヒータ５０が装備された蒸発タンク４１では、蒸発用ヒータ５０が貯留水中に浸漬された状態で蒸発作用をしている間は、蒸発タンク４１の温度は１００℃を超えることはなく、一方、蒸発が進んで蒸発用ヒータ５０が浸漬状態から解放されると、蒸発タンク４１の特に底板４４を含む底部が急速に温度上昇し、サーモスタット１０５が１００℃を超えた所定温度を感知すると切れ、貯留水の残量が少量になったと見なして蒸発用ヒータ５０への通電を停止するように機能する。このサーモスタット１０５が切れる所定温度は、１０６℃〜１１４℃が適当であり、本実施形態では、「１１０℃」に設定されている。  
なお、サーモスタット１０５の感知温度が所定温度まで下がるとサーモスタット１０５が入り、蒸発用ヒータ５０への通電が可能な状態となる。
【００４１】
一方、温度ヒューズ１１０は、高温に晒されることに起因して劣化することを防止し、かつ不適正なときに切れてしまう誤動作を回避できるようにするという理由から、蒸発タンク４１の底部の熱が所定量減衰された状態で伝わる位置に装着されている。  
具体的には、温度ヒューズ１１０を装着する部材として、伝熱板１１１が準備されている。この伝熱板１１１は、熱伝導率が適度に優れた金属板を素材としており、例えば、熱伝導率κが０．２６１［１００℃，×１０2 Ｗ／(ｍ・Ｋ)］のステンレス鋼（ＳＵＳ４３０）が好適である。
【００４２】
伝熱板１１１は、正面ほぼ正方形に形成されており、上端部が受熱面１１２に、下端部が、温度ヒューズ１１０の装着面１１３にそれぞれなっている。また、受熱面１１２と装着面１１３との間の領域には、横長のスリット状をなす図示５本の開口部１１４が、３段にわたって千鳥状に配され、より詳細には、上段と下段には２本の開口部１１４が横に並び、中段には１本の開口部１１４が中央部に位置して形成されている。これらの開口部１１４は主に、受熱面１１２から装着面１１３への熱伝達効率を抑えることに機能している。中段の開口部１１４の左右両側には、ねじ１１４Ａの挿通孔（図示せず）が形成されている。
【００４３】
伝熱板１１１の装着面１１３には、温度ヒューズ１１０が装着されている。そのため、ヒューズホルダ１１７が備えられている。このヒューズホルダ１１７は、ステンレス鋼板等の弾性を有する金属板製であって、装着面１１３よりも少し短い横幅を有し、上部側が平面状の取付部１１８となっているとともに、下部側が断面山形をなす押圧部１１９となっている。取付部１１８の中央部と、伝熱板１１１の装着面１１３の対応位置には、それぞれねじ１２５の挿通孔１１８Ａ，１１３Ａが形成されている。  
温度ヒューズ１１０は、ヒューズホルダ１１７における押圧部１１９の裏側に入れられ、取付部１１８が装着面１１３に固定されると、温度ヒューズ１１０は、押圧部１１９により弾性的に装着面１１３に対して押し付けられ、密着して装着されるようになっている。
【００４４】
伝熱板１１１は、図４に示すように、冷蔵庫本体１０の装着凹部３０の奥壁３０Ａの下端部における幅方向中央部に装着されるようになっている。より詳細な装着位置は、図１０に示すように、伝熱板１１１における受熱面１１２が、蒸発タンク４１内に装備された蒸発用ヒータ５０の水平部５１（発熱可能部）の裏側に臨むような高さ位置である。  
伝熱板１１１は、断熱シート１１５を介して、装着凹部３０の奥壁３０Ａにおける所定の張設面１１６に当てられる。この断熱シート１１５は、例えばシリコンスポンジ製であって、伝熱板１１１の裏面全面に張られるようになっている。伝熱板１１１は裏面に断熱シート１１５を配した状態で装着凹部３０の奥壁３０Ａの張設面１１６に当てられ、開口部１１４の形成領域に設けられた左右の挿通孔にねじ１１４Ａを通し、断熱シート１１５を貫通して張設面１１６の対応位置に形成されたねじ孔にねじ込むことで固定される。
【００４５】
また、温度ヒューズ１１０をヒューズホルダ１１７の押圧部１１９の裏に入れた状態で、同ヒューズホルダ１１７の取付部１１８が装着面１１３に当てられ、同取付部１１８と装着面１１３の挿通孔１１８Ａ，１１３Ａにねじ１２５を通し、断熱シート１１５を貫通して張設面１１６の対応位置に形成されたねじ孔にねじ込むことで、伝熱板１１１に対してヒューズホルダ１１７が固定され、上記のように、温度ヒューズ１１０が装着面１１３に密着した状態に保持される。  
なお断熱シート１１５は主に、当該冷蔵庫の設置位置の周囲温度が低い等で冷蔵庫本体１０が冷却された場合に、その冷熱が伝熱板１１１に伝わるのを抑制することに機能する。
【００４６】
このように温度ヒューズ１１０ともども伝熱板１１１が装着凹部３０の奥壁３０Ａの張設面１１６に取り付けられたのち、蒸発タンク４１が同奥壁３０Ａに取り付けられるようになっており、蒸発タンク４１は、上端に設けられた取付板４７がねじ４９で止められて固定される一方、底部側が受け金具１２０で支持される。  
受け金具１２０は、同じくステンレス鋼板等の弾性を有する金属板製であって、細長い板材がクランク状に曲げられ、略水平な基部１２１の奥縁から取付部１２２が下向きに形成され、かつ手前側の端縁から押圧部１２３が立ち上がり形成された形状であって、左右２個設けられている。受け金具１２０の取付部１２２にはそれぞれねじ１２４の挿通孔が形成されているとともに、基部１２１の長さは、蒸発タンク４１における接触板４５を含めた底板４４の長さ（奥行）に、伝熱板１１１と断熱シート１１５の厚さを加えた寸法よりも、少し小さい寸法に設定されている。
【００４７】
蒸発タンク４１は、接触板４５の先端が伝熱板１１１の受熱面１１２と対応するような所定の高さ位置に配されたのち、既述したように、まず上部の取付板４７がねじ４９で固定される。そののち、図８に示すように、各受け金具１２０が、伝熱板１１１の装着位置を挟んだ左右両側に配され、押圧部１２３が蒸発タンク４１の表面パネル４２の下縁部に当てられた状態おいて、各取付部１２２が奥壁３０Ａに当てられ、取付部１２２の挿通孔にねじ１２４を通して奥壁３０Ａの対応位置に形成されたねじ孔にねじ込むことで固定されるようになっている。このとき図１０に示すように、両受け金具１２０の押圧部１２３が、蒸発タンク４１の表面側の下側角部を弾性的に押して、接触板４５の先端を伝熱板１１１の装着面１１３に押し付けるようになっている。
【００４８】
以上のように伝熱板１１１並びに蒸発タンク４１が取り付けられた場合、蒸発タンク４１の裏面の底部が、伝熱板１１１の装着面１１３に対して所定間隔を開けて対応し、また接触板４５の先端が同装着面１１３に線接触した状態となる。したがって、蒸発用ヒータ５０が通電されて発熱すると、蒸発タンク４１が加熱されるが、蒸発タンク４１の底部の熱が輻射によって伝熱板１１１の受熱面１１２に移動し、また接触板４５が線接触されていることで、同蒸発タンク４１の底部の熱が、少量ではあるが伝導により同伝熱板１１１の受熱面１１２に移動する。  
すなわち蒸発タンク４１の底部の熱は、輻射熱と少量の伝導熱によりほぼ間接的に移動され、実質的に蒸発タンク４１の熱が減衰されて伝熱板１１１の受熱面１１２に伝達されることになる。  
また、伝熱板１１１の受熱面１１２の熱は、伝導により温度ヒューズ１１０が装着された装着面１１３に移動するが、両面１１２，１１３の間には開口部１１４が形成されて熱伝達効率が抑えられているから、さらに減衰されて装着面１１３が加熱されることになる。
【００４９】
本実施形態では、サーモスタット１０５は「１１０℃」で切れる、すなわち蒸発タンク４１の底板４４の外底面の温度が「１１０℃」となったら切れるようになっている。ここで温度ヒューズ１１０は、サーモスタット１０５が故障した場合の補償として設けられていて、サーモスタット１０５が切れる以前に動作（切れる）してはならないという条件があり、例えば温度ヒューズ１１０が、サーモスタット１０５と並んで蒸発タンク４１の底板４４の外底面に装着されるとしたら、温度ヒューズ１１０が切れる温度は、サーモスタット１０５が切れる温度よりも例えば２０Ｋ程度高い、「１３０℃」程度とするのが相当である。
【００５０】
本実施形態では、温度ヒューズ１１０を極力低温でありながらも適正に作動させるべくその装着箇所に工夫が凝らされており、上記のように、蒸発タンク４１の底部の熱が減衰して移動される伝熱板１１１の装着面１１３を装着箇所としている。ここで、蒸発タンク４１の底板４４の外底面の温度が、この位置で温度ヒューズ１１０が切れるのに適当な「１３０℃」になった場合における、伝熱板１１１の装着面１１３の温度を実測したところ、「９４℃」程度となった。  
その結果、同装着面１１３に取り付けられる温度ヒューズ１１０は、動作温度（切れる温度）が「９４℃」のものが適用されている。換言すれば、伝熱板１１１の装着面１１３に装着された温度ヒューズ１１０が切れた場合には、蒸発タンク４１の底板４４の外底面の温度が「１３０℃」程度まで上昇していることを意味する。  
また、温度ヒューズ１１０の切れる温度が「９４℃」であると言うことは、仮に温度ヒューズ１１０の装着位置付近に瞬間的に温風が当たった場合等にも、不必要に切れてしまうのが未然に防止できる。
【００５１】
装着凹部３０の奥壁３０Ａには、その下縁部の背面視左半分と、左側縁部に沿うようにして、Ｌ形をなす電線ガイド１３０が配設され、上記したサーモスタット１０５と温度ヒューズ１１０のリード線が通されて、機械室１４に向けて導かれている。  
また、装着凹部３０の奥壁３０Ａを構成する外装板１３２の裏面には、断熱板１３３が張設されており、蒸発タンク４１や伝熱板１１１の熱が庫内まで伝達され難くしている。なお、蒸発タンク４１の裏面と装着凹部３０の奥壁３０Ａとの間には隙間が開けられて空気断熱層１３５が形成され、さらなる断熱効果が図られている。
【００５２】
また、一部既述したように、装着凹部３０の背面開口には、機械室１４の後面パネル１４Ｂとほぼ面一にカバー１３７が張られており、図３に示すように、このカバー１３７の上縁には、装着凹部３０の上面開口部４１Ａにおけるダクト７０の左右両側を塞ぐ上面板１３８（背面視右側のみが図示）が形成されているとともに、同カバー１３７の上部位置には、内部の熱気を逃がすための多数の排気口１３９が形成されている。  
さらに、図１０に示すように、カバー１３７の裏面の下端部におけるサーモスタット１０５の配設位置の表面側に対応する位置には、厚肉の断熱板１４０が装着されており、この断熱板１４０は、当該冷蔵庫の設置位置の周囲温度の変動に拘わらずサーモスタット１０５の装着位置の温度を安定化することに機能している。
【００５３】
続いて、本実施形態の作用を説明する。  
冷蔵庫の稼働中において除霜運転が行われると、冷却器２５等からの除霜水がドレンパン２０で受けられたのち、奥縁のドレンパイプ３２から排水筒体３３の排水管３４に流出し、その先端から流れ落ちる。図４に示すように、排水管３４の直下位置には、受け板８５が先下がりの姿勢で配されているから、排水管３４から流れ落ちた除霜水は、同図の矢線ｗに示すように、受け板８５で受けられたのち、その先端から滴下するようにして蒸発タンク４１の底部に溜められる。
【００５４】
それとともに蒸発用ヒータ５０に通電され、蒸発タンク４１内に溜められた貯留水（除霜水）が加熱されることにより、強制的に蒸発して蒸気が立ち上り、その蒸気は、蒸発タンク４１の上面側に連通して設けられたダクト７０内を上昇する。  
ここで、ダクト７０内には排水管３４が突出しているため、ダクト７０内に立ち上った蒸気が、排水管３４から冷却器室２１側に流入することが懸念される。しかしながら、排水管３４の下方には、背面視右側の蓋体５６Ｂから先下がりの姿勢で左方に向けて延出形成された受け板８５が配されているとともに、ダクト７０内における排水管３４の突出位置の左側には仕切板９０が配設されて、その下端が、受け板８５の延出端よりも所定寸法基端側に入った位置の上面に対し、僅かのクリアランスｂを開けて接近した状態となっている。
【００５５】
そのため、蒸発タンク４１から排水管３４に向けて立ち上った蒸気は、図４の矢線ｖに示すように、受け板８５で遮られたのち仕切板９０の左方に追いやられる。特に上記のように、受け板８５の延出端が仕切板９０の下端よりも左側に所定寸法ａ突出しており、その上方に流出口９７として設けられたクリアランスｂの高さも小寸法であるから、その隙間から回り込む量も最小限に抑えられる。  
その結果、蒸発タンク４１内の左側の領域から立ち上った蒸気とともに、ダクト７０内における仕切板９０よりも左側の領域を上昇し、排気箱１００のスリット１０１を通って拡散されつつ上方に吐出される。よって、排水管３４から蒸気が逆流することが確実に防止される。
【００５６】
除霜運転が終了すると冷却運転が再開されるが、そのとき凝縮器ファン１７Ａが運転され、冷却用の外気が前面側から吸い込まれて凝縮器１７さらには圧縮機１６を冷却し、冷却に供した後の排熱は、機械室１４の排気口２８から主に背面側に排出される。そのため、ダクト７０の排気箱１００から上方に向けて吐出された蒸気は、排熱を受けることによりさらに低濃度に拡散され、厨房等の部屋の壁面が近傍にあった場合にも、同壁面に多量の蒸気が集中して触れることに起因して結露することが避けられる。
【００５７】
蒸発が進むと、貯留水の水位が次第に下がって、サーモスタット１０５の水平部５１が貯留水への浸漬状態から解放され、それに伴い蒸発タンク４１の特に底部側の温度が急激に上昇する。底板４４の外底面に装着されたサーモスタット１０５が所定温度（１１０℃）を感知したら同サーモスタット１０５が切れ、貯留水の残量が少量になったと見なされて、蒸発用ヒータ５０への通電すなわち発熱が停止される。これにより、いわゆる空焚きすることが防止される。  
蒸発用ヒータ５０の発熱が停止することで蒸発タンク４１の温度が低下し、サーモスタット１０５が「１１０℃」を２０Ｋ程度下回る所定温度を感知したら、サーモスタット１０５が入って蒸発用ヒータ５０への通電が可能な状態とされる。
【００５８】
なお、サーモスタット１０５が故障により正規に動作しない（切れない）ことがあり得る。その場合は、蒸発用ヒータ５０への通電が継続されることで蒸発タンク４１がさらに温度上昇するが、例えば底板４４の外底面の温度が「１１０℃」を上回る「１３０℃」程度まで上昇したら、蒸発タンク４１の底部の熱が減衰して伝達される伝熱板１１１の装着面１１３の温度が「９４℃」程度まで上昇し、同装着面１１３に装着された温度ヒューズ１１０が同「９４℃」を感知することで温度ヒューズ１１０が切れ、蒸発用ヒータ５０への通電が強制的に断たれて発熱が停止する。これにより、蒸発タンク４１の温度が過剰上昇することが防止される。  
また、温度ヒューズ１１０の切れる温度が「９４℃」であって、室温よりは相当に高い温度であるから、仮に温度ヒューズ１１０の装着位置付近に瞬間的に温風が当たることがあっても、不必要に切れてしまうことがない。
【００５９】
以上説明したように本実施形態によれば、以下のような数々の効果を得ることができる。  
空焚き防止用のサーモスタット１０５を、蒸発タンク４１の底板４４の外面に装着したから、従来の貯留水中に浸漬されるヒータに対して直接にサーモスタット１０５を装着した場合とは違い、蒸発用ヒータ５０が腐食等で劣化することを防止できる。
【００６０】
一方、サーモスタット１０５が故障した場合の補償として用いられる温度ヒューズ１１０を装着する部分の構造については、蒸発タンク４１の熱が直接的に伝導されるのではなく、輻射熱と少量の伝導熱によりほぼ間接的に熱移動される伝熱板１１１を、装着凹部３０の奥壁３０Ａにおける蒸発タンク４１の底部の裏側に対応する位置に設け、その伝熱板１１１の装着面１１３に温度ヒューズ１１０を取り付けている。  
この構造であると、実質的に蒸発タンク４１の熱が減衰されて伝熱板１１１に伝達されることになるため、サーモスタット１０５が故障した等で蒸発用ヒータ５０への通電が継続されて、蒸発タンク４１が温度ヒューズ１１０を切るべき温度（例えば「１３０℃」程度）に上昇した場合も、伝熱板１１１の装着面１１３は同温度よりも低い温度（例えば「９４℃」程度）に上昇することに留まる。したがって、同温度を動作温度（切れる温度）とする温度ヒューズ１１０を装着することで、適正なときに温度ヒューズ１１０を機能させることができる。  
すなわち、伝熱板１１１の温度は、蒸発タンク４１の温度よりも低く留められるのであるから、温度ヒューズ１１０が高熱に晒されることが回避され、もってその劣化が防止される。逆に、温度ヒューズ１１０の動作温度を単に低いだけではなく、室温よりも相当に高い「９４℃」に設定したのであるから、仮に温度ヒューズ１１０の装着位置付近に瞬間的に温風が当たることがあっても、不必要に切れてしまうことがない。  
結果、温度ヒューズ１１０の劣化が防止できるとともに、周囲温度に起因した誤動作も防止でき、温度ヒューズ１１０を長期にわたって適正に動作させることが可能となる。
【００６１】
伝熱板１１１の装着位置について、上端部の受熱面１１２が、蒸発タンク４１内の蒸発用ヒータ５０の水平部５１（発熱部）の裏側に臨むように配したから、伝熱板１１１を比較的効率良く昇温することができる。  
一方、伝熱板１１１の下端部の装着面１１３が、蒸発タンク４１の底板４４よりも下方に突出していると、同装着面１１３は周囲温度の影響を受けやすく、例えば周囲温度が高いと、装着面１１３が早期に昇温して温度ヒューズ１１０が誤って動作するおそれがある。それに対し本実施形態では、伝熱板１１１の途中に開口部１１４が形成されていることで、受熱面１１２から装着面１１３への熱伝達効率が抑えられ、もって伝熱板１１１の装着面１１３が必要以上に早期に昇温されることが防止される。その結果、温度ヒューズ１１０が不適正なタイミングで動作することが防がれる。
【００６２】
また周囲温度が低い場合、冷蔵庫本体１０が低温となってその影響で伝熱板１１１の昇温が遅れ、結果温度ヒューズ１１０の動作（切れる）が遅れることが懸念される。それに対し本実施形態では、伝熱板１１１の裏に断熱シート１１５を張ったことで冷蔵庫本体１０の低温の影響が伝熱板１１１に及ぶことが抑えられ、伝熱板１１１が適正に昇温することによって、温度ヒューズ１１０を適正なタイミングで動作させることができる。  
また、サーモスタット１０５の装着位置の表面側には断熱材１４０が配されているから、周囲温度の変動に拘わらずサーモスタット１０５の装着位置の温度が安定化され、サーモスタット１０５を適正なタイミングで動作させることができる。
【００６３】
＜他の実施形態＞
本発明は上記記述及び図面によって説明した実施形態に限定されるものではなく、例えば次のような実施形態も本発明の技術的範囲に含まれる。  
（１）サーモスタットは、蒸発タンクの底板の外面に限らず、表面板の底部等、蒸発タンクの底部の外面の任意の位置に装着することができる。  
（２）サーモスタットは、その入り切りに対応して蒸発用ヒータへの通電と停止とを交互に繰り返すように機能させるものであってもよい。  
（３）加熱制御部材としてはサーモスタットに限らず、例えば実際に温度値を計測するものであってもよく、その場合は、計測値が所定温度に達したときに蒸発用ヒータをオフするように制御すればよい。
【００６４】
（４）上記実施形態では、温度ヒューズを装着する伝熱板を、冷蔵庫本体の背面（装着凹部の奥壁）に設けた場合を例示したが、それに限らず、例えば蒸発タンクに掛止して吊り下げられるような形態等、蒸発タンクからほぼ間接的に熱が伝達される限り、他の形態で設けられていてもよい。  
（５）伝熱板の素材の熱伝導率によっては、開口部は必ずしも設ける必要はない。  
（６）上記実施形態に示したサーモスタットと温度ヒューズの動作温度（切れる温度）は、あくまでも一例であって、任意に選定し得るものである。  
（７）蒸発装置は、上記実施形態に例示した冷蔵庫の背面のみに限らず、左右の側面に設けるようにしてもよい。  
（８）蒸発させる排水は、除霜水を含めた庫内排水全般に適用することも可能である。
【図面の簡単な説明】
【００６５】
【図１】本発明の一実施形態に係る冷蔵庫の蒸発装置の配設位置付近の縦断面図
【図２】冷蔵庫における機械室の後面パネルとカバーとを外した背面から視た部分斜視図
【図３】冷蔵庫の背面から視た部分分解斜視図
【図４】冷蔵庫の後面パネルとカバーとを外した一部切欠背面図
【図５】ダクトの分解斜視図
【図６】蒸発装置の斜視図
【図７】排水管の突設位置付近の構造を示す部分拡大背面図
【図８】サーモスタットと温度ヒューズとの配設構造を示す背面図
【図９】温度ヒューズの取付構造を示す分解斜視図
【図１０】サーモスタットと温度ヒューズとの配設構造を示す縦断面図
【符号の説明】
【００６６】
１０…冷蔵庫本体（貯蔵庫本体）  １０Ａ…（冷蔵庫本体１０の）背面  ３０…装着凹部  ３０Ａ…奥壁  ４０…蒸発装置  ４１…蒸発タンク  ４４…（蒸発タンク４１の）底板  ４５…接触板  ５０…蒸発用ヒータ  １０５…サーモスタット（加熱制御部材）  １１０…温度ヒューズ（保護部材）  １１１…伝熱板  １１２…受熱面  １１３…装着面  １１４…開口部  １１５…断熱シート（断熱材）  １１７…ヒューズホルダ  １３７…カバー  １４０…断熱材
【図１】
2010019471.tif 000003
【図２】
2010019471.tif 000004
【図３】
2010019471.tif 000005
【図４】
2010019471.tif 000006
【図５】
2010019471.tif 000007
【図６】
2010019471.tif 000008
【図７】
2010019471.tif 000009
【図８】
2010019471.tif 000010
【図９】
2010019471.tif 000011
【図１０】
2010019471.tif 000012